【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
システム情報がデバイス間（Ｄ２Ｄ）通信に対して受信されるかどうかを決定することと、
前記システム情報が受信されるとき、前記システム情報に基づいて少なくとも１つのフラグを設定することと、ここにおいて、前記ＵＥの第１のレイヤが、前記システム情報を受信し、前記少なくとも１つのフラグを設定する、
前記少なくとも１つのフラグに基づいてＤ２Ｄリソースを決定することと、ここにおいて、前記第１のレイヤよりも上位の第２のレイヤが、前記少なくとも１つのフラグを検査し、前記Ｄ２Ｄリソースを決定するように前記第１のレイヤに要求する、
を備える方法。
【請求項２】
前記システム情報はＤ２Ｄ通信に対して受信されていると決定され、前記方法は、
共通Ｄ２Ｄリソースのセットが前記システム情報の中で示されるかどうかを決定することと、
前記ＵＥの無線リソース制御（ＲＲＣ）状態を決定することと
をさらに備え、
ここにおいて、前記少なくとも１つのフラグは、前記共通Ｄ２Ｄリソースの前記セットが前記システム情報の中で示されるかどうかに基づいて、および前記決定されたＲＲＣ状態に基づいて設定される、
請求項１に記載の方法。
【請求項３】
共通Ｄ２Ｄリソースの前記セットは前記システム情報の中で示されると決定され、前記ＲＲＣ状態はＲＲＣアイドル状態であると決定され、
ここにおいて、前記少なくとも１つのフラグを前記設定することは、前記Ｄ２Ｄリソースの割振りを求める要求が必要とされないことを前記第２のレイヤに対して示すために、前記少なくとも１つのフラグのうちの第１のフラグを設定することを備える、
請求項２に記載の方法。
【請求項４】
共通Ｄ２Ｄリソースの前記セットは前記システム情報の中で示されると決定され、前記ＲＲＣ状態はＲＲＣ接続状態であると決定され、
ここにおいて、前記少なくとも１つのフラグを前記設定することは、前記Ｄ２Ｄリソースの割振りを求める要求が必要とされることを示すために、前記少なくとも１つのフラグのうちの第１のフラグを設定することを備える、
請求項２に記載の方法。
【請求項５】
共通Ｄ２Ｄリソースの前記セットは前記システム情報の中で示されないと決定され、前記ＲＲＣ状態はＲＲＣアイドル状態であると決定され、
ここにおいて、前記少なくとも１つのフラグを前記設定することは、前記Ｄ２Ｄリソースの割振りを求める要求が必要とされることを前記第２のレイヤに対して示すために、前記少なくとも１つのフラグのうちの第１のフラグを設定することを備える、
請求項２に記載の方法。
【請求項６】
共通Ｄ２Ｄリソースの前記セットは前記システム情報の中で示されないと決定され、前記ＲＲＣ状態はＲＲＣ接続状態であると決定され、
ここにおいて、前記少なくとも１つのフラグを前記設定することは、前記Ｄ２Ｄリソースの割振りを求める要求が必要とされることを前記第２のレイヤに対して示すために、前記少なくとも１つのフラグのうちの第１のフラグを設定することを備える、
請求項２に記載の方法。
【請求項７】
前記システム情報はＤ２Ｄ通信に対して受信されていると決定され、ここにおいて、共通Ｄ２Ｄリソースのセットが前記システム情報の中で示され、前記方法は、
共通Ｄ２Ｄリソースの前記セットを使用してＤ２Ｄ通信を行うことと、
共通Ｄ２Ｄリソースの前記セットを通じた前記Ｄ２Ｄ通信を停止させることと、
ＲＲＣアイドル状態からＲＲＣ接続状態へ遷移することと
をさらに備え、
ここにおいて、前記ＲＲＣアイドル状態から前記ＲＲＣ接続状態へ遷移すると、前記少なくとも１つのフラグが設定され、
ここにおいて、前記少なくとも１つのフラグを前記設定することは、前記Ｄ２Ｄリソースの前記割振りを求める要求が必要とされることを示すために、前記少なくとも１つのフラグのうちの第１のフラグを設定することを備える、
請求項１に記載の方法。
【請求項８】
ワイヤレス通信のための装置であって、前記装置はＵＥであり、
システム情報がデバイス間（Ｄ２Ｄ）通信に対して受信されるかどうかを決定するための手段と、
前記システム情報が受信されるとき、前記システム情報に基づいて少なくとも１つのフラグを設定するための手段と、ここにおいて、前記ＵＥの第１のレイヤが、前記システム情報を受信し、前記少なくとも１つのフラグを設定する、
前記少なくとも１つのフラグに基づいてＤ２Ｄリソースを決定するための手段と、ここにおいて、前記第１のレイヤよりも上位の第２のレイヤが、前記少なくとも１つのフラグを検査し、前記Ｄ２Ｄリソースを決定するように前記第１のレイヤに要求する、
を備える装置。
【請求項９】
前記システム情報はＤ２Ｄ通信に対して受信されていると決定され、前記装置は、
共通Ｄ２Ｄリソースのセットが前記システム情報の中で示されるかどうかを決定するための手段と、
前記ＵＥの無線リソース制御（ＲＲＣ）状態を決定するための手段と
をさらに備え、
ここにおいて、前記少なくとも１つのフラグは、前記共通Ｄ２Ｄリソースの前記セットが前記システム情報の中で示されるかどうかに基づいて、および前記決定されたＲＲＣ状態に基づいて設定される、
請求項８に記載の装置。
【請求項１０】
共通Ｄ２Ｄリソースの前記セットは前記システム情報の中で示されると決定され、前記ＲＲＣ状態はＲＲＣアイドル状態であると決定され、
ここにおいて、前記少なくとも１つのフラグを設定するための前記手段は、前記Ｄ２Ｄリソースの割振りを求める要求が必要とされないことを前記第２のレイヤに対して示すために、前記少なくとも１つのフラグのうちの第１のフラグを設定するように構成される、
請求項９に記載の装置。
【請求項１１】
共通Ｄ２Ｄリソースの前記セットは前記システム情報の中で示されると決定され、前記ＲＲＣ状態はＲＲＣ接続状態であると決定され、
ここにおいて、前記少なくとも１つのフラグを設定するための前記手段は、前記Ｄ２Ｄリソースの割振りを求める要求が必要とされることを示すために、前記少なくとも１つのフラグのうちの第１のフラグを設定するように構成される、
請求項９に記載の装置。
【請求項１２】
共通Ｄ２Ｄリソースの前記セットは前記システム情報の中で示されないと決定され、前記ＲＲＣ状態はＲＲＣアイドル状態であると決定され、
ここにおいて、前記少なくとも１つのフラグを設定するための前記手段は、前記Ｄ２Ｄリソースの割振りを求める要求が必要とされることを前記第２のレイヤに対して示すために、前記少なくとも１つのフラグのうちの第１のフラグを設定するように構成される、
請求項９に記載の装置。
【請求項１３】
共通Ｄ２Ｄリソースの前記セットは前記システム情報の中で示されないと決定され、前記ＲＲＣ状態はＲＲＣ接続状態であると決定され、
ここにおいて、前記少なくとも１つのフラグを設定するための前記手段は、前記Ｄ２Ｄリソースの割振りを求める要求が必要とされることを前記第２のレイヤに対して示すために、前記少なくとも１つのフラグのうちの第１のフラグを設定するように構成される、
請求項９に記載の装置。
【請求項１４】
前記システム情報はＤ２Ｄ通信に対して受信されていると決定され、ここにおいて、共通Ｄ２Ｄリソースのセットが前記システム情報の中で示され、前記装置が、
共通Ｄ２Ｄリソースの前記セットを使用してＤ２Ｄ通信を行うための手段と、
共通Ｄ２Ｄリソースの前記セットを通じた前記Ｄ２Ｄ通信を停止させるための手段と、
ＲＲＣアイドル状態からＲＲＣ接続状態へ遷移するための手段と
をさらに備え、
ここにおいて、前記ＲＲＣアイドル状態から前記ＲＲＣ接続状態へ遷移すると、前記少なくとも１つのフラグが設定され、
ここにおいて、前記少なくとも１つのフラグを設定するための前記手段は、前記Ｄ２Ｄリソースの前記割振りを求める要求が必要とされることを示すために、前記少なくとも１つのフラグのうちの第１のフラグを設定するように構成される、
請求項８に記載の装置。
【請求項１５】
コンピュータによって実行されるときに、請求項１−７のうちのいずれかに記載の方法を実行することを前記コンピュータにさせるコンピュータ実行可能な命令を備えるコンピュータプログラム。